(57)【要約】        【課題】  例えばベビーカー等に使用されるシートベルトの連結装置に関し、解除ボタンの解除操作により、左右の雄部材が雌部材から自動的に外れるようにしたものである。        【解決手段】  左右の雄部材(30)の各差込部(60)と、左右の各係止片(92)とのいずれか少なくとも一方には、解除ボタン(91)を押し込んだ際の左右の係止片(92)の移動により、撓んでバネ力を蓄積し、蓄積したバネ力により、左右の雄部材(30)の各差込部(60)を雌本体(80)の左右の差込口(81)からそれぞれ押し出すための左右一対の押圧バネ(95)を備える。    【選択図】    図１
2006122171.tif 000002
【特許請求の範囲】
【請求項１】
左右一対の腰ベルトの各自由端部にそれぞれ固定される左右一対の雄部材と、
前記左右の雄部材を互いに連結するとともに、１本の股ベルトの自由端部に固定される雌部材とを備え、
前記左右の雄部材には、
前記左右の各腰ベルトの自由端部をそれぞれ通すベルト固定部と、
前記ベルト固定部から延び、前記雌部材に差し込まれる差込部とをそれぞれ備え、
前記雌部材には、
前記股ベルトの自由端部を通すベルト固定部と、
前記ベルト固定部に連接し、前記左右の雄部材の各差込部が差し込まれる左右一対の差込口を有する中空筒形の雌本体と、
前記雌本体の内部に位置し、その左右一対の差込口からそれぞれ差し込まれた左右の雄部材の各差込部を、当該差込口内にそれぞれロックするロック部材とを備え、
前記ロック部材には、
前記左右の各差込口からそれぞれ差し込まれた左右の雄部材の各差込部を、当該差込口内にそれぞれロックする左右一対の係止片と、
前記左右の係止片の中間に位置し、前記雌本体から外向きに突出するとともに、前記雌本体の内部に向かっての押し込み操作により、前記ロック状態を解除可能な解除ボタンと、
前記解除ボタンと前記雌本体の内部との間に位置し、前記解除ボタンを前記雌本体から突出する方向に付勢する復帰バネとを備えるシートベルトの連結装置において、
前記左右の雄部材の各差込部と、前記左右の各係止片とのいずれか少なくとも一方には、
前記解除ボタンを押し込んだ際の前記左右の係止片の移動により、撓んでバネ力を蓄積し、蓄積したバネ力により、前記左右の雄部材の各差込部を前記雌本体の左右の差込口からそれぞれ押し出すための左右一対の押圧バネを設けていることを特徴とするシートベルトの連結装置。
【請求項２】
請求項１に記載のシートベルトの連結装置において、
前記左右の押圧バネは、
前記ロック状態においても、前記左右の雄部材の各差込部と、前記左右の係止片とのいずれか少なくとも一方に、前記バネ力を蓄積しない範囲において、弾性的に当接していることを特徴とするシートベルトの連結装置。
【請求項３】
請求項１又は請求項２に記載のシートベルトの連結装置において、
前記左右の押圧バネは、
前記左右の係止片にそれぞれ一体的に形成され、
前記解除ボタンを押し込んだ際に前記雌本体の内部との間で圧縮されるようにしていることを特徴とするシートベルトの連結装置。
【請求項４】
請求項１〜３のいずれか１項に記載のシートベルトの連結装置において、
前記左右の押圧バネは、
前記復帰バネに隣接して形成されていることを特徴とするシートベルトの連結装置。
【請求項５】
請求項１〜４のいずれか１項に記載のシートベルトの連結装置において、
前記左右の雄部材と前記雌部材との間には、
左右一対の肩ベルトの各自由端部をそれぞれ固定可能な左右一対の第２のベルト固定部を設け、
５点式シートベルトとして使用可能であることを特徴とするシートベルトの連結装置。
【請求項６】
請求項５に記載のシートベルトの連結装置において、
前記左右の第２のベルト固定部を、
前記左右の雄部材にそれぞれ設けていることを特徴とするシートベルトの連結装置。
【請求項７】
請求項５又は請求項６に記載のシートベルトの連結装置において、
前記左右の肩ベルトの各自由端部には、
ループ部をそれぞれ設け、
前記左右の第２のベルト固定部は、
左右のループ部に通すことが可能な棒状に形成されていることを特徴とするシートベルトの連結装置。
【発明の詳細な説明】
【技術分野】
【０００１】
この発明は、例えばベビーカー等に使用されるシートベルトの連結装置に関し、解除ボタンの解除操作により、左右の雄部材が雌部材から自動的に外れるようにしたものである。
【背景技術】
【０００２】
従来、シートベルトの連結装置としては、解除ボタンの操作時に、雌部材から左右の雄部材を手で引き抜くタイプが知られている（例えば特許文献１の特許請求の範囲の請求項１、図１参照）。
【特許文献１】特許第３２１３１７４号公報（特許請求の範囲の請求項１、図１）
【発明の開示】
【発明が解決しようとする課題】
【０００３】
しかし、上記した従来の装置では、解除ボタンの操作時に、雌部材から左右の雄部材を手で引き抜かなければならず、作業性が悪いという問題点があった。
そこで、各請求項にそれぞれ記載された各発明は、上記した従来の技術の有する問題点に鑑みてなされたものであり、その目的とするところは、次の点にある。
（請求項１）
すなわち、請求項１に記載の発明は、押圧バネを付加することで、解除ボタンの解除操作により、左右の雄部材が雌部材から自動的に外れるようにしたものである。
【０００４】
これに加え、請求項１に記載の発明によれば、解除ボタンを押し込んだ際の左右の係止片の移動により、押圧バネが撓んでバネ力を蓄積するようにしているので、特に樹脂製の押圧バネを使用した際のクリープによるバネ力の喪失を防止することができる。
（請求項２）
請求項２に記載の発明は、上記した請求項１に記載の発明の目的に加え、次の点を目的とする。
【０００５】
すなわち、請求項２に記載の発明は、ロック状態において、押圧バネを弾性的に当接させることで、押圧バネのガタ付きによる異音の発生を未然に防止することができるようにしたものである。
（請求項３）
請求項３に記載の発明は、上記した請求項１又は請求項２に記載の発明の目的に加え、次の点を目的とする。
【０００６】
すなわち、請求項３に記載の発明は、押圧バネを雌本体の内部に設けることで、押圧バネの破損や外部への露呈を防止することができるようにしたものである。
（請求項４）
請求項４に記載の発明は、上記した請求項１〜３のいずれか１項に記載の発明の目的に加え、次の点を目的とする。
【０００７】
すなわち、請求項４に記載の発明は、押圧バネを復帰バネに隣接させて形成することで、復帰バネ及び押圧バネを雌本体の内部の適切な位置に配置することができるようにしたものである。
（請求項５）
請求項５に記載の発明は、上記した請求項１〜４のいずれか１項に記載の発明の目的に加え、次の点を目的とする。
【０００８】
すなわち、請求項５に記載の発明は、５点式シートベルトとして使用可能することができるようにしたものである。
（請求項６）
請求項６に記載の発明は、上記した請求項５に記載の発明の目的に加え、次の点を目的とする。
【０００９】
すなわち、請求項６に記載の発明は、左右のベルト固定部を、左右の雄部材にそれぞれ設けることで、左右の雄部材の着脱に関連させて、左右の肩ベルトの着脱を容易に行うことができるようにしたものである。
（請求項７）
請求項７に記載の発明は、上記した請求項５又は請求項６に記載の発明の目的に加え、次の点を目的とする。
【００１０】
すなわち、請求項７に記載の発明は、左右の肩ベルトの各自由端部のループ部に、左右のベルト固定部を通すことで、左右の肩ベルトの固定を容易に且つ迅速に行うことができるようにしたものである。
【課題を解決するための手段】
【００１１】
各請求項にそれぞれ記載された各発明は、上記した各目的を達成するためになされたものであり、各発明の特徴点を図面に示した発明の実施の形態を用いて、以下に説明する。
なお、カッコ内の符号は、発明の実施の形態において用いた符号を示し、本発明の技術的範囲を限定するものではない。
また、図面番号も、発明の実施の形態において用いた図番を示し、本発明の技術的範囲を限定するものではない。
（請求項１）
請求項１に記載の発明は、次の点を特徴とする。
【００１２】
第一に、シートベルトの連結装置(10)には、例えば図１〜５に示すように、次の構成を備える。
（１）左右一対の雄部材(30)
左右一対の雄部材(30)は、例えば図３に示すように、左右一対の腰ベルト(22)の各自由端部にそれぞれ固定されるものである。
【００１３】
（２）雌部材(40)
雌部材(40)は、例えば図３に示すように、左右の雄部材(30)を互いに連結するとともに、１本の股ベルト(21)の自由端部に固定されるものである。
第二に、左右の雄部材(30)には、例えば図１〜９及び図１１〜１２に示すように、次の構成をそれぞれ備える。
【００１４】
（３）ベルト固定部(50)
ベルト固定部(50)は、例えば図９に示すように、左右の各腰ベルト(22)の自由端部をそれぞれ通すものである。
（４）差込部(60)
差込部(60)は、例えば図７に示すように、ベルト固定部(50)から延び、例えば図１及び図１１に示すように、雌部材(40)に差し込まれるものである。
【００１５】
第三に、雌部材(40)には、例えば図１〜１０に示すように、次の構成を備える。
（５）ベルト固定部(70)
ベルト固定部(70)は、例えば図３に示すように、股ベルト(21)の自由端部を通すものである。
（６）雌本体(80)
雌本体(80)は、例えば図４に示すように、ベルト固定部(70)に連接し、例えば図８に示すように、左右の雄部材(30)の各差込部(60)が差し込まれる左右一対の差込口(81)を有する中空筒形のものである。
【００１６】
（７）ロック部材(90)
ロック部材(90)は、例えば図８に示すように、雌本体(80)の内部に位置し、例えば図１に示すように、その左右一対の差込口(81)からそれぞれ差し込まれた左右の雄部材(30)の各差込部(60)を、当該差込口(81)内にそれぞれロックするものである。
第四に、ロック部材(90)には、例えば図１及び図１０〜１３に示すように、次の構成を備える。
【００１７】
（８）左右一対の係止片(92)
左右一対の係止片(92)は、例えば図１に示すように、左右の各差込口(81)からそれぞれ差し込まれた左右の雄部材(30)の各差込部(60)を、当該差込口(81)内にそれぞれロックするものである。
（９）解除ボタン(91)
解除ボタン(91)は、例えば図１０に示すように、左右の係止片(92)の中間に位置し、例えば図１に示すように、雌本体(80)から外向きに突出するとともに、例えば図１２〜１３に示すように、雌本体(80)の内部に向かっての押し込み操作により、ロック状態を解除可能なものである。
【００１８】
（１０）復帰バネ(94)
復帰バネ(94)は、例えば図１０に示すように、解除ボタン(91)と雌本体(80)の内部との間に位置し、例えば図１に示すように、解除ボタン(91)を雌本体(80)から突出する方向に付勢するものである。
第五に、左右の雄部材(30)の各差込部(60)と、左右の各係止片(92)とのいずれか少なくとも一方には、例えば図１０及び図１２〜１３に示すように、次の構成を備える。
【００１９】
（１１）左右一対の押圧バネ(95)
左右一対の押圧バネ(95)は、例えば図１２に示すように、解除ボタン(91)を押し込んだ際の左右の係止片(92)の移動により、撓んでバネ力を蓄積し、例えば図１３に示すように、蓄積したバネ力により、左右の雄部材(30)の各差込部(60)を雌本体(80)の左右の差込口(81)からそれぞれ押し出すためのものである。
【００２０】
なお、押圧バネ(95)を、雌部材(40)の左右の各係止片(92)に設けたが、これに限定されず、左右の雄部材(30)の各差込部(60)に設けても良いし、或いは係止片(92)と差込部(60)との両方に設けても良い。
（請求項２）
請求項２に記載の発明は、上記した請求項１に記載の発明の特徴点に加え、次の点を特徴とする。
【００２１】
すなわち、左右の押圧バネ(95)は、図１及び図１１に示すように、ロック状態においても、左右の雄部材(30)の各差込部(60)と、左右の係止片(92)とのいずれか少なくとも一方に、バネ力を蓄積しない範囲において、弾性的に当接している。
（請求項３）
請求項３に記載の発明は、上記した請求項１又は請求項２に記載の発明の特徴点に加え、次の点を特徴とする。
【００２２】
すなわち、左右の押圧バネ(95)は、例えば図１０に示すように、左右の係止片(92)にそれぞれ一体的に形成され、解除ボタン(91)を押し込んだ際に雌本体(80)の内部との間で圧縮されるようにしている。
（請求項４）
請求項４に記載の発明は、上記した請求項１〜３のいずれか１項に記載の発明の特徴点に加え、次の点を特徴とする。
【００２３】
すなわち、左右の押圧バネ(95)は、例えば図１０に示すように、復帰バネ(94)に隣接して形成されている。
（請求項５）
請求項５に記載の発明は、上記した請求項１〜４のいずれか１項に記載の発明の特徴点に加え、次の点を特徴とする。
【００２４】
すなわち、左右の雄部材(30)と雌部材(40)との間には、例えば図１５〜１８に示すように、左右一対の肩ベルト(23)の各自由端部をそれぞれ固定可能な左右一対の第２のベルト固定部(100)を設け、５点式シートベルトとして使用可能である。
なお、第２のベルト固定部(100)を、左右の雄部材(30)に設けたが、これに限定されず、雌部材(40)に設けても良いし、或いは雄部材(30)と雌部材(40)との両方に設けても良い。
（請求項６）
請求項６に記載の発明は、上記した請求項５に記載の発明の特徴点に加え、次の点を特徴とする。
【００２５】
すなわち、左右の第２のベルト固定部(100)を、例えば図１５〜１８に示すように、左右の雄部材(30)にそれぞれ設けている。
（請求項７）
請求項７に記載の発明は、上記した請求項５又は請求項６に記載の発明の特徴点に加え、次の点を特徴とする。
【００２６】
第一に、左右の肩ベルト(23)の各自由端部には、例えば図１６に示すように、ループ部(24)をそれぞれ設けている。
第二に、左右の第２のベルト固定部(100)は、例えば図１６に示すように、左右のループ部(24)に通すことが可能な棒状に形成されている。
【発明の効果】
【００２７】
本発明は、以上のように構成されているので、以下に記載されるような効果を奏する。
（請求項１）
すなわち、請求項１に記載の発明によれば、押圧バネを付加することで、解除ボタンの解除操作により、左右の雄部材が雌部材から自動的に外れるようにしたものである。
これに加え、請求項１に記載の発明によれば、解除ボタンを押し込んだ際の左右の係止片の移動により、押圧バネが撓んでバネ力を蓄積するようにしているので、特に樹脂製の押圧バネを使用した際のクリープによるバネ力の喪失を防止することができる。
（請求項２）
請求項２に記載の発明によれば、上記した請求項１に記載の発明の効果に加え、次のような効果を奏する。
【００２８】
すなわち、請求項２に記載の発明によれば、ロック状態において、押圧バネを弾性的に当接させることで、押圧バネのガタ付きによる異音の発生を未然に防止することができる。
（請求項３）
請求項３に記載の発明によれば、上記した請求項１又は請求項２に記載の発明の効果に加え、次のような効果を奏する。
【００２９】
すなわち、請求項３に記載の発明によれば、押圧バネを雌本体の内部に設けることで、押圧バネの破損や外部への露呈を防止することができる。
（請求項４）
請求項４に記載の発明によれば、上記した請求項１〜３のいずれか１項に記載の発明の効果に加え、次のような効果を奏する。
【００３０】
すなわち、請求項４に記載の発明によれば、押圧バネを復帰バネに隣接させて形成することで、復帰バネ及び押圧バネを雌本体の内部の適切な位置に配置することができる。
（請求項５）
請求項５に記載の発明によれば、上記した請求項１〜４のいずれか１項に記載の発明の効果に加え、次のような効果を奏する。
【００３１】
すなわち、請求項５に記載の発明によれば、５点式シートベルトとして使用可能することができる。
（請求項６）
請求項６に記載の発明によれば、上記した請求項５に記載の発明の効果に加え、次のような効果を奏する。
【００３２】
すなわち、請求項６に記載の発明によれば、左右のベルト固定部を、左右の雄部材にそれぞれ設けることで、左右の雄部材の着脱に関連させて、左右の肩ベルトの着脱を容易に行うことができる。
（請求項７）
請求項７に記載の発明によれば、上記した請求項５又は請求項６に記載の発明の効果に加え、次のような効果を奏する。
【００３３】
すなわち、請求項７に記載の発明によれば、左右の肩ベルトの各自由端部のループ部に、左右のベルト固定部を通すことで、左右の肩ベルトの固定を容易に且つ迅速に行うことができる。
【発明を実施するための最良の形態】
【００３４】
（図面の説明）
図１〜１３は、本発明の第１の実施の形態の一例をそれぞれ示すものである。
図１は、シートベルトの連結装置の断面図、図２はベビーカーの斜視図、図３は連結装置の使用状態を示す平面図、図４は連結装置の平面図、図５は連結装置の側面図、図６は図４のVI-VI線に沿う断面図、図７は雌部材を仮想線で示した連結装置の分解平面図、図８は連結装置の分解断面図、図９は雄部材の断面図、図１０はロック部材の斜視図、図１１は図７に対応し、雌部材を仮想線で示した連結装置の連結状態を示す平面図、図１２は図１に対応し、解除ボタンを押した状態の連結装置の断面図、図１３は図８に対応し、ロック解除状態の連結装置の断面図をそれぞれ示すものである。
【００３５】
図１４〜１９は、本発明の第２の実施の形態の一例をそれぞれ示すものである。
図１４は、ベビーカーの斜視図、図１５は連結装置の使用状態を示す平面図、図１６は肩ベルトの一部と雄部材との斜視図、図１７は連結装置の平面図、図１８は連結装置の側面図、図１９は図１７のXIX-XIX線に沿う断面図をそれぞれ示すものである。
図２０〜２１は、第３の実施の形態の一例をそれぞれ示すものである。
【００３６】
図２０は、連結装置の平面図、図２１は図２０の左右の雄部材を取り外した状態を示す平面図をそれぞれ示すものである。
図２２〜２３は、第４の実施の形態の一例をそれぞれ示すものである。
図２２は、乳幼児用椅子の斜視図、図２３は図２２の背部を寝かせた状態を示す斜視図それぞれ示すものである。
（シートベルトの連結装置10）
図２〜５を用いて、シートベルトの連結装置10について説明する。
【００３７】
図２〜５中、10は、本発明に係るシートベルトの連結装置10を示し、連結装置10は、図２に示すように、例えばベビーカー20に使用される。
上記ベビーカー20には、図２〜３に示すように、乳児、幼児等の子供（図示せず）用のシートベルトが装着されている。シートベルトは、子供の両足の間に通す１本の股ベルト21と、子供の腰に巻き付ける左右一対の腰ベルト22,22とから構成されている。
【００３８】
なお、連結装置10の使用部位は、ベビーカー20に限定されず、後述するが、図２０〜２１に示すように、ベットとしても使用可能な乳幼児用椅子110に使用しても良いし、或いは自動車用のチャイルドシート、ベビーラック等に利用しても良い。
連結装置10には、図３〜５に示すように、大別すると、次の構成を備える。
なお、連結装置10は、次の（１）〜（２）に限定されず、他の構成を備えていても良い。
【００３９】
（１）左右一対の雄部材30,30
左右一対の各雄部材30,30は、図３に示すように、左右の腰ベルト22の各自由端部がそれぞれ固定されるものである。
（２）雌部材40
雌部材40は、図３に示すように、左右の雄部材30を互いに連結するとともに、１本の股ベルト21の自由端部に固定されるものである。
【００４０】
なお、雌部材40に対して、左右の雄部材30を略Ｙ字形に連結しているが、これに限定されず、略Ｔ字形に連結しても良い。
（雄部材30）
左右の雄部材30は、剛性のある例えばＰＯＭ（ポリアセタール）等の熱可塑性樹脂によりそれぞれ一体成形されている。
【００４１】
具体的には、雄部材30には、図７〜９に示すように、大別すると、次の構成を備える。
なお、各雄部材30は、次の（１）〜（２）に限定されず、他の構成を備えていても良い。
（１）ベルト固定部50
ベルト固定部50は、図９に示すように、左右の各腰ベルト22の自由端部を通すものである。
【００４２】
（２）差込部60
差込部60は、図７〜８に示すように、ベルト固定部50から延び、雌部材40に差し込まれるものである。
（雌部材40）
雌部材40は、図４〜８及び図１０に示すように、大別すると、次の構成を備える。
【００４３】
なお、雌部材40は、次の（１）〜（３）に限定されず、他の構成を備えていても良い。
（１）ベルト固定部70
ベルト固定部70は、図３に示すように、股ベルト21の自由端部を通すものである。
（２）雌本体80
雌本体80は、図８に示すように、中空筒形に形成され、ベルト固定部70に連接し、各雄部材30の差込部60が差し込まれる左右一対の差込口81,81を有するものである。
【００４４】
また、雌本体80は、先に説明したベルト固定部70と、一体的に形成され、剛性のある例えばＰＯＭ（ポリアセタール）等の熱可塑性樹脂により一体成形されている。
（３）ロック部材90
ロック部材90は、図１０に示すように、雌本体80の内部に位置し、左右の差込口81からそれぞれ差し込まれた左右の雄部材30の各差込部60を、当該差込口81内にロックするものである。
【００４５】
また、ロック部材90は、ベルト固定部70と雌本体80とは別体に成形され、適度な弾性と剛性とを有する例えばＰＯＭ（ポリアセタール）等の熱可塑性樹脂により一体成形されている。
（雄部材30のベルト固定部50）
雄部材30のベルト固定部50は、図７〜９に示すように、全体がロ字形に形成され、次の構成を備える。
【００４６】
なお、ベルト固定部50は、次の（１）〜（４）に限定されず、他の構成を備えていても良い。
（１）鍔部51
鍔部51は、図７〜９に示すように、雌本体80の各差込口81より一回り大きいものである。
【００４７】
（２）左右一対の側片52,52
左右一対の側片52,52は、図８に示すように、鍔部51の両端部からそれぞれ延びるものである。
左右の側片52は、図７〜９に示すように、下方に向かって円弧状に緩やかに湾曲させている。このように、左右の側片52を湾曲させたのは、ベルト固定部50を子供（図示せず）の胴体の湾曲に沿わせるためである。
【００４８】
（３）連結片53
連結片53は、図７〜９に示すように、左右の側片52の先端部をつなぐものである。
（４）第１，第２バー54,55
第１，第２バー54,55は、図７〜９に示すように、左右の側片52の間に架け設けられたものである。
【００４９】
第２バー55は、図９に示すように、下向きの断面三角形状、或いは断面菱形形状に形成されている。
そして、腰ベルト22は、図９に示すように、連結片53の下面から第２バー55の上方に掛け、更に第１バー54に時計回りに巻き付けた後、その自由端部を第２バー55の上方から、先に通した腰ベルト22と連結片53の下面との間を通して引き出し、ベルト固定部50に固定する。このとき、腰ベルト22の自由端部の引き出し長を長短させることで、腰ベルト22の長さを調節することができる。
（雄部材30の差込部60）
雄部材30の差込部60は、図７〜９に示すように、全体がロ字形を成し、その中央には、上下に貫通した矩形のロック穴61が形成されている。そして、ロック穴61には、ロック部材90の係止片92がはまり込むことで、各差込口81から抜けなくなる。
【００５０】
より具体的には、差込部60は、図７〜９に示すように、ベルト固定部50の鍔部51から左右の側片52とは反対向きに延び、差込部60の横幅は、雌本体80の各差込口81の横幅以下に設定されている。また、差込部60の両端部には、断面コ字形に下向きに延びた左右一対の脚片62,62が形成され、両脚片62の高さを、雌本体80の各差込口81の上下の高さにほぼ等しく設定している。したがって、差込部60を、雌本体80の各差込口81にガタ無く差し込むことができる。
（雌部材40のベルト固定部70）
雌部材40のベルト固定部70は、図６に示すように、雄部材30のベルト固定部50と同じ構造を成し、股ベルト21を長さ調節可能に固定することができるようにしている。
（雌部材40の雌本体80）
雌本体80は、図８に示すように、上下方向に押し潰された扁平な角筒形を成し、その左右両端部に左右の差込口81が開口している。
【００５１】
より具体的には、雌本体80は、図６に示すように、上下に略平行に対向した上壁82及び底壁83と、上壁82と底壁83とを互いに連結する左右一対の側壁84,85とから構成されている。
各差込口81は、上壁82、底壁83及び左右の側壁84,85で四方を囲まれた空間内に形成され、上下方向に押し潰された扁平な方形に形成している。
（雌部材40のロック部材90）
雌部材40のロック部材90は、図１０に示すように、解除ボタン91を中心に左右に線対称の形状を成し、より具体的には、次の構成を備える。
【００５２】
なお、ロック部材90は、次の（１）〜（４）に限定されず、他の構成を備えていても良い。
（１）解除ボタン91
（２）左右一対の係止片92,92
（３）復帰バネ94
（４）押圧バネ95
（ロック部材90の解除ボタン91）
ロック部材90の解除ボタン91は、図６に示すように、雌本体80のボタン穴86から上方に突出するものである。
（ロック部材90の係止片92,92）
ロック部材90の左右一対の係止片92,92は、図１０に示すように、左右両端部からそれぞれ突出し、図１に示すように、左右の差込口81からそれぞれ差し込まれた左右の雄部材30の各差込部60を、各差込口81内にそれぞれロックするものである。
【００５３】
各係止片92の先端部には、図１０に示すように、上方に向かって突出し、雄部材30の差込部60のロック穴61にはまり込む爪部93がそれぞれ形成されている。各爪部93は、断面直角三角形状に突出し、その斜面を左右の差込口81にそれぞれ向けている。
なお、雄部材30にロック穴61を、雌部材40に爪部93を設けたが、互いにはまり合う凹凸であれば良く、凹凸のいずれかを一方を雄部材30と雌部材40とのいずれか一方にそれぞれ設けておけば良い。
（ロック部材90の復帰バネ94）
ロック部材90の復帰バネ94は、図１０に示すように、解除ボタン91の左右両端部から左右の係止片92とそれぞれ平行に斜め下方に向かって延び、計４本の形成されている。
【００５４】
４本の復帰バネ94は、図１に示すように、雌本体80の左右の差込口81の一方から内部にロック部材90が挿入され、解除ボタン91がボタン穴86にはまり込んだ位置で、雌本体80の上壁82と底壁83との間で圧縮されて、解除ボタン91をボタン穴86から上方に突出する方向に付勢する。
なお、復帰バネ94は、４本に限定されず、１〜３本、或いは５本以上設けても良い。
（ロック部材90の押圧バネ95）
ロック部材90の押圧バネ95は、図１０に示すように、４本の復帰バネ94の外側に並行して計４本形成され、山形或いは逆Ｖ方に屈曲している。
【００５５】
４本の押圧バネ95は、図１及び図１１に示すように、係止片92の爪部93が雄部材30の差込部60のロック穴61にはまり込んだロック状態において、差込部60の先端部の端面に弾性的に当接している。これは、差込口81内での差込部60のガタ付きを防止するためのものである。
４本の押圧バネ95は、図１２に示すように、解除ボタン91が押し込まれることで、ロック部材90の全体が下降すると、雌本体80の底壁83に押されて、一層深く山形或いは逆Ｖ方に屈曲して、バネ力を蓄積する。
【００５６】
その後、４本の押圧バネ95は、図１３に示すように、解除ボタン91が更に押し込まれ、爪部93がロック穴61から外れたロック解除時に、蓄積されていたバネ力により、差込部60の先端部を差込口81の外側に向かって少し押し出す。
なお、押圧バネ95を、復帰バネ94と同数の４本設けたが、これに限定されず、左右の雄部材30にそれぞれ対応させて、少なくとも左右に計２本設ければ良く、３本、或いは５本以上設けても良い。
【００５７】
また、押圧バネ95を、復帰バネ94の外側に設けたが、これに限定されず、復帰バネ94の長さの途中から分岐させ、復帰バネ94と一体的に設けても良いし、或いは復帰バネ94の内側に設けても良い。
さらに、押圧バネ95を、雌部材40のロック部材90に設けたが、これに限定されず、ロック部材90と別体としたり、或いは雌本体80に設けても良い。また、押圧バネ95は、雌部材40に限定されず、左右の雄部材30の各差込部60に設けても良いし、或いは雌部材40と左右の雄部材30との両方に設けても良い。
（使用方法）
つぎに、上記した構成を有する連結装置10の使用方法について以下に説明する。
【００５８】
まず、左右の雄部材30と雌部材40とを連結するには、各雄部材30の差込部60を、雌本体80の各差込口81にそれぞれ合わせて差し込めば良い。
差込部60を差し込むと、図１３に示すように、雌部材40の内部のロック部材90の爪部93が押されて、ロック部材90の全体が下降する。
このとき、ロック部材90の４本の復帰バネ94が、図１３に示すように、雌本体80の底壁83と平行に撓み、バネ力を蓄積する。
【００５９】
その後、差込部60を更に深く差し込むと、図１に示すように、ロック部材90の爪部93が、差込部60のロック穴61にはまり込み、４本の復帰バネ94の蓄積されていたバネ復元力により、ロック部材90の全体が上昇する。
その結果、左右の雄部材30の差込部60が、図１に示すように、雌本体80の各差込口81内にロックされる。
【００６０】
一方、左右の雄部材30を外す際には、雌部材40の解除ボタン91を押し込めば良い。
解除ボタン91を押し込むと、図１２に示すように、ロック部材90の全体が下降し、ロック部材90の４本の復帰バネ94が、雌本体80の底壁83と平行に撓み、バネ力を蓄積する。
同時に、４本の押圧バネ95が、図１２に示すように、ロック部材90の全体の下降に伴って、雌本体80の底壁83に押されて、一層深く山形或いは逆Ｖ方に屈曲して、バネ力を蓄積する。
【００６１】
そして、爪部93がロック穴61から外れると、図１３に示すように、蓄積されていたバネ復元力により、４本の押圧バネ95の各先端部が差込部60の先端部の端面を差込口81の外側に向かって少し押し出す。
これにより、左右の雄部材30の差込部60が、雌本体80から外れる。
その後、図８に示すように、４本の復帰バネ94の蓄積されていたバネ復元力により、ロック部材90の全体が上昇して復帰する。
（第２の実施の形態の一例）
つぎに、図１４〜１９を用いて、本発明の第２の実施の形態の一例について説明する。
【００６２】
本実施の形態は、図１４〜１５に示すように、左右の肩ベルト23を加えて、５点式シートベルトに使用可能な連結装置10を提供しようとするものである。
すなわち、雄部材30には、図１６〜１９に示すように、雌部材40との間に、左右の肩ベルト23をそれぞれ固定可能な第２のベルト固定部100をそれぞれ設けている。
第２のベルト固定部100は、図１６〜１９に示すように、雌部材40のベルト固定部50から、差込部60と同方向に棒状に延び、その先端部には雌部材40に向かってＬ字状に屈曲して短く延びるストッパー101を設けている。
【００６３】
これに対し、左右の肩ベルト23には、図１６に示すように、その自由端部をループ状に折り返して縫い付けたループ部24をそれぞれ設けている。
肩ベルト23のループ部24は、図１５に示すように、雄部材30の棒状の第２のベルト固定部100に通し、この状態で雄部材30を雌部材40に連結する。
雄部材30と雌部材40とを連結すると、第２のベルト固定部100のストッパー101が、雌部材40に接近して対向することから、肩ベルト23のループ部24は第２のベルト固定部100から抜けなくなる。
【００６４】
一方、肩ベルト23を取り外す際には、雄部材30と雌部材40との連結状態を解除すれば良く、ストッパー101を潜らせながら、棒状の第２のベルト固定部100からループ部24を抜き取ることで、肩ベルト23を雄部材30から取り外すことが可能となる。
なお、第２のベルト固定部100を、左右の雄部材30に設けたが、これに限定されず、雌部材40に２個設けても良いし、或いは雄部材30と雌部材40との両方に設けても良い。
（第３の実施の形態の一例）
つぎに、図２０〜２１を用いて、本発明の第３の実施の形態の一例について説明する。
【００６５】
本実施の形態は、雄部材30に、図２０〜２１に示すように、リング状の第２のベルト固定部110をそれぞれ設けたものである。
本実施の形態によれば、図１４〜１９を用いて先に説明した第２の実施の形態ものと同様に、５点式シートベルトに使用することができる。
また、本実施の形態によれば、第２の実施の形態のものと比較して、雄部材30単独で肩ベルト23を保持できるという利点がある。なお、第２の実施の形態のものは、図１５に示すように、第２のベルト固定部100は、Ｌ字状に屈曲した棒状に形成され、雄部材30を雌部材40に連結することで、肩ベルト23を抜けないように保持するものである。このため、第２の実施の形態の第２のベルト固定部100は、本第３の実施の形態のリング状の第２のベルト固定部110と比較して、肩ベルト23を容易に取り外すことができるという利点がある。
（第４の実施の形態の一例）
つぎに、図２２〜２３を用いて、本発明の第４の実施の形態の一例について説明する。
【００６６】
本実施の形態は、ベットとしても使用可能な乳幼児用椅子120に、連結装置10を取り付けたものである。なお、肩ベルト23を使用しているが、肩ベルト23を省いて、３点式シートベルトとして使用しても良い。
上記乳幼児用椅子120は、図２２に示すように、背部を立たせると椅子として使用できるし、又、図２３に示すように、背部を寝かせることで、ベットとしても使用できる。また、乳幼児用椅子120は、図示しないが、ゆりかごのようにスウイング可能なスウイング機構を内蔵している。
【図面の簡単な説明】
【００６７】
【図１】本発明の第１の実施の形態の一例を示し、同図はシートベルトの連結装置の断面図である。
【図２】ベビーカーの斜視図である。
【図３】連結装置の使用状態を示す平面図である。
【図４】連結装置の平面図である。
【図５】連結装置の側面図である。
【図６】図４のVI-VI線に沿う断面図である。
【図７】雌部材を仮想線で示した連結装置の分解平面図である。
【図８】連結装置の分解断面図である。
【図９】雄部材の断面図である。
【図１０】ロック部材の斜視図である。
【図１１】図７に対応し、雌部材を仮想線で示した連結装置の連結状態を示す平面図である。
【図１２】図１に対応し、解除ボタンを押した状態の連結装置の断面図である。
【図１３】図８に対応し、ロック解除状態の連結装置の断面図である。
【図１４】本発明の第１の実施の形態の一例を示し、同図はベビーカーの斜視図である。
【図１５】連結装置の使用状態を示す平面図である。
【図１６】肩ベルトの一部と雄部材との斜視図である。
【図１７】連結装置の平面図である。
【図１８】連結装置の側面図である。
【図１９】図１７のXIX-XIX線に沿う断面図である。
【図２０】本発明の第２の実施の形態の一例を示し、同図は連結装置の平面図である。
【図２１】図２０の左右の雄部材を取り外した状態を示す平面図である。
【図２２】本発明の第３の実施の形態の一例を示し、同図は乳幼児用椅子の斜視図である。
【図２３】図２２の背部を寝かせた状態を示す斜視図である。
【符号の説明】
【００６８】
10  シートベルトの連結装置        20  ベビーカー
21  股ベルト                      22  腰ベルト
30  雄部材                        40  雌部材
50  雄部材のベルト固定部          51  鍔部
52  側片                          53  連結片
54  第１バー                      55  第２バー
60  雄部材の差込部                61  ロック穴
62  脚片                          70  雌部材のベルト固定部
80  雌部材の雌本体                81  差込口
82  上壁                          83  底壁
84  側壁                          85  側壁
86  ボタン穴                      87  ガイド片
90  ロック部材                    91  解除ボタン
92  係止片                        93  爪部
94  復帰バネ                      95  押圧バネ
（第２の実施の形態の一例）
23  肩ベルト                      24  ループ部
100  雄部材の第２のベルト固定部   101  ストッパー
（第３の実施の形態の一例）
110  雄部材の第２のベルト固定部
（第４の実施の形態の一例）
120  乳幼児用椅子
【図１】
2006122171.tif 000003
【図２】
2006122171.tif 000004
【図３】
2006122171.tif 000005
【図４】
2006122171.tif 000006
【図５】
2006122171.tif 000007
【図６】
2006122171.tif 000008
【図７】
2006122171.tif 000009
【図８】
2006122171.tif 000010
【図９】
2006122171.tif 000011
【図１０】
2006122171.tif 000012
【図１１】
2006122171.tif 000013
【図１２】
2006122171.tif 000014
【図１３】
2006122171.tif 000015
【図１４】
2006122171.tif 000016
【図１５】
2006122171.tif 000017
【図１６】
2006122171.tif 000018
【図１７】
2006122171.tif 000019
【図１８】
2006122171.tif 000020
【図１９】
2006122171.tif 000021
【図２０】
2006122171.tif 000022
【図２１】
2006122171.tif 000023
【図２２】
2006122171.tif 000024
【図２３】
2006122171.tif 000025